(57)【要約】【課題】熟練者でなくても茎の折れた部分や裂けた部分を簡単に、確実に補修できる低コストの茎折れ補修クリップを提供する。【解決手段】ヒンジ部１１を支点として屈曲自在な一対の挟持片１２，１３と、左側挟持片１２の先端に形成されたフック部１４と、右側挟持片１３の先端部に、第２のヒンジ部１７を支点として屈曲自在に形成された係合バンド部１６と、係合バンド部１６に設けられ、フック部１４と係合可能な複数のボス１５とを備え、左側挟持片１２、右側挟持片１３の内側に、大径茎保持部２０と小径茎保持部２１を形成するためのそれぞれ円弧状の大径茎把持部１２ａ，１３ａと小径茎把持部１２ｂ，１３ｂを有し、全体が弾性を有する合成樹脂で一体成形されている茎折れ補修クリップ。【選択図】  図２
2015023838.tif 000002
【特許請求の範囲】
【請求項１】
第１のヒンジ部を支点として屈曲自在な一対の挟持片と、
一方の挟持片の先端に形成されたフック部と、
他方の挟持片の先端部に、第２のヒンジ部を支点として屈曲自在に形成された係合バンド部と、
前記係合バンド部に設けられ、前記フック部と係合可能な複数のボスと
を備え、
前記一対の挟持片の内側に、当該一対の挟持片を前記第１のヒンジ部を支点として両挟持片の内側が向かい合うように曲げたときに、大径茎保持部と小径茎保持部を形成するためのそれぞれ円弧状の大径茎把持部と小径茎把持部を有し、
全体が弾性を有する合成樹脂で一体成形されていること
を特徴とする茎折れ補修クリップ。
【請求項２】
前記一対の挟持片のそれぞれの端部と前記フック部および係合バンド部との間に、摘み部が形成されている請求項１記載の茎折れ補修クリップ。
【発明の詳細な説明】
【技術分野】
【０００１】
本発明は、トマト、キュウリ、メロン等の蔓性果菜類の誘引作業時に、茎や蔓が折れたり裂けたりしたときに保持し、補強し、活着させるための茎折れ補修クリップに関する。
【背景技術】
【０００２】
トマト、キュウリ、メロン等の蔓性果菜類は、茎が生長すると茎、蔓の自重で自立することができない。そこで、ビニルハウス（施設園芸）栽培では、図６に示すように、ビニルハウスの天井部に横に張られた誘引線３０に、茎を吊り下げるための誘引紐３１を取り付け、図７に詳細に示すように、吊り下げられた誘引紐３１を誘引用クリップ４０の支点部のそばの誘引紐挟み部４１で挟むと同時に茎保持部４２にトマト等の茎５０を入れ、茎を吊り下げる直立誘引方法が実施されている。
【０００３】
また、別の方法として、図８に示すようにビニルハウス内の畝に一定間隔に支柱６０を立て、誘引紐６１を支柱６０に巻き付けながら横方向に数段取り付け、図９に詳細に示すように、横方向に張られた誘引紐６１を誘引用クリップ４０の支点部のそばを誘引紐挟み部４１で挟むと同時に茎保持部４２にトマト等の茎５０を挟み込み、茎５０を斜めに吊り上げる横紐誘引方法が施設園芸では多く採用されている。
【０００４】
トマトの施設園芸栽培では長期栽培が多く、ほぼ年間に渡り栽培を行うため、茎の生長にあわせ茎の留める位置を移動し、誘引用クリップで茎を留め替えながら伸ばして生産し収穫していく。
【０００５】
図６、図８に示すように、トマトは茎５０の根元に近い部分（下段）から中段、上段と、順に果房５１，５２，５３が実るので、茎の根元に近い下段の部分の果房５１から順に収穫を始め、図１０、図１１に示すように、収穫後の茎５０の部分を下方向にずらしていく。茎５０の生長部の先端５５は上方向に伸び続け、伸びた茎の部分から果房５４も実っていくので、また、茎５０を下方向へ誘引用クリップ４０で留め替えながらずらして収穫していく。
【０００６】
この、茎５０を下ろす作業のとき、茎５０の曲げ部分を折ったりねじって裂けたりしないように注意して長期にわたって作業をするが、これが重労働であり、誘引作業に慣れていない作業者は茎をねじって裂いたり折ったりすることがある。
【０００７】
トマトの施設園芸栽培では、長期栽培（長段取り）が多く、８月頃に定植し１０月頃から収穫を開始し翌年６月頃まで収穫して１本の茎から果房を約２０段収穫するが、誘引作業時、茎を曲げる部分が折れると茎の生長部の生長が止まったり茎の折れた部分から枯れたりして収穫できなくなってしまう。
【０００８】
トマトの茎の誘引作業時、例えば図１２、図１３に示すように４段目の果房５４の下部で茎が折れた場合、そのまま放置しておくと茎が折れた部分５６から上部は枯れてしまう。そのため、本来、長期栽培であれば２０段前後、果房を収穫できるのが、３段目の果房５３までしか収穫ができなくなる。
【０００９】
また、図１４、図１５に示すように、茎５０をねじって裂けたりすると茎５０の内部を通っている導管等の一部が損傷し、裂けた部分５８より上部の生長が遅くなったりすることがある。
【００１０】
そのために、大多数のトマト生産者の場合、熟練者が茎の折れた部分５６や裂けた部分５８の補修を行っている。
【００１１】
補修方法の１つは、図１３、図１６に示すようにトマトの茎５０の折れた部分５６を、切断面５７に隙間を作らないように合わせたまま、図１７に示すように市販のビニルテープ７０を折れた部分５６の前後の茎５０に巻き付け固定し、茎の折れた部分５６を補修することである。しかし、この補修方法では、ビニルテープ７０を何重にも巻き付けなければならず、このとき茎の折れた部分５６の周囲の葉や実をビニルテープ７０に巻き込まないように細心の注意を払わなければならず、一箇所を補修するのに手間や時間が掛かる。
【００１２】
また、茎の折れた部分５６や茎が裂けた部分５８が曲がったりずれたりしないように補修固定するために、図１８に示すように割り箸や棒状の添え木７１と一緒にビニルテープ７０で何重にも巻き込んで補修することもあり、大幅に手間が掛かる。
【００１３】
他の補修方法として、図１９に示すような、クリップ８０の先端で支柱を挟み、茎を誘引する市販の支柱誘引用クリップ８０を使用する方法がある。このクリップ８０は本来、図２０に示すように、畝に立てられた支柱６０に茎５０を添わせ、茎５０をクリップ８０の茎保持部８１に挟み込んだ後、クリップ８０の先端の支柱挟み部８２で支柱６０を挟む誘引用クリップである。茎保持部８１および支柱挟み部８２は摘み部８３を摘むことで開閉でき、Ｃ状ばね８４により閉じた状態を保持できるように押圧されている。
【００１４】
一部の生産者は、このクリップ８０を代用し、図２１に示すように、茎の折れた部分５６や裂けた部分５８を支柱挟み部８２で挟んで補修することもある。しかし、この支柱誘引用クリップ８０は、支柱挟み部８２の直径が約１６ｍｍ程あり、トマトの茎５０の太さは直径１６ｍｍ以下が多いし、成長している茎５０の部分は直径１２ｍｍ前後が多いので、大多数の茎を挟むことができないし、挟む力も弱いので、茎の折れた部分５６や裂けた部分５８の補修用クリップとしては不向きで、折れた茎の切断面の活着は良くない。
【００１５】
なお、トマト、ナス、キュウリ等の植物において、茎折れを防ぐために茎に取り付けられる植物用補強具が特許文献１，２に提案されているが、折れた茎や裂けた茎を補修する目的で使用することには適していない。
【先行技術文献】
【特許文献】
【００１６】
【特許文献１】特開２０１１−２４５６４号公報
【特許文献２】特開２０１１−１６０６７５号公報
【発明の概要】
【発明が解決しようとする課題】
【００１７】
トマトの施設園芸（ビニルハウス栽培）生産者の場合、通常１棟のハウスは１反（３００坪≒１０００ｍ2＝１０アール）で、約２，０００本の茎を育成し複数のハウスを保有し営農を行っている。
【００１８】
日常の整枝作業、肥培管理、収穫など、多くの作業の中で茎の折れ、裂けの補修には手間が掛かり、生産者にとって、大きな負担となっている。
【００１９】
茎の折れた部分を隙間なく合わせたままビニルテープで巻き込み補修するには熟練者でなければ切断面が活着しないことがあり、補修が慣れていない作業者には隙間なく巻き込むことが難しい。
【００２０】
また、市販されている支柱誘引用クリップ８０は、支柱挟み部８２の直径が１６ｍｍ程あり、トマトの茎の太さは１６ｍｍ以下が多いし、生長している茎の部分は直径１２ｍｍ前後が多いので、大多数の茎を挟んで押さえることができない。
【００２１】
さらに支柱誘引用クリップ８０の本体部は２つの挟持片で構成されており、組み立て、鉄製のＣ状ばね８４を組み込んでいるのでコストも高く、資材費も高くつくため生産者にとって負担が大きい。
【００２２】
そこで本発明は、熟練者でなくても茎の折れた部分や裂けた部分を簡単に、確実に補修できる、低コストの茎折れ補修クリップを提供することを目的とする。
【課題を解決するための手段】
【００２３】
前記課題を解決するため、本発明の茎折れ補修クリップは、
第１のヒンジ部を支点として屈曲自在な一対の挟持片と、
一方の挟持片の先端に形成されたフック部と、
他方の挟持片の先端部に、第２のヒンジ部を支点として屈曲自在に形成された係合バンド部と、
前記係合バンド部に設けられ、前記フック部と係合可能な複数のボスと
を備え、
前記一対の挟持片の内側に、当該一対の挟持片を前記第１のヒンジ部を支点として両挟持片の内側が向かい合うように曲げたときに、大径茎保持部と小径茎保持部を形成するためのそれぞれ円弧状の大径茎把持部と小径茎把持部を有し、
全体が弾性を有する合成樹脂で一体成形されていること
を特徴とする。
【００２４】
本発明においては、茎の折れた部分や裂けた部分を一対の挟持片の大径茎把持部または小径茎把持部で両側から包むように茎折れ補修クリップを第１のヒンジ部を支点として折り曲げ、一方の挟持片先端のフック部と他方の挟持片先端の係合バンド部のボスとを係合することにより、挟持した部分を固定、保持する。茎の径に応じて、大径茎把持部または小径茎把持部のいずれかを用い、また、複数のボスを有する係合バンド部の、フック部と係合するボスの位置を調整することで、広い範囲の茎の径に対応することができる。
【００２５】
前記一対の挟持片のそれぞれの端部と前記フック部および係合バンド部との間に、摘み部を形成することにより、係合バンド部に設けられた複数のボスに対するフック部の係合位置の調整を、茎を挟んだ状態を保ちながら行うことができる。
【発明の効果】
【００２６】
本発明によれば、熟練者でなくても茎の折れた部分や裂けた部分を簡単に、確実に補修でき、全体を合成樹脂で一体成形により低コストで製造できるため、減収することなく作業の能率を向上することができる。
【図面の簡単な説明】
【００２７】
【図１】本発明の実施の形態に係る茎折れ補修クリップを示すものであり、（ａ）は平面図、（ｂ）は正面図である。
【図２】本発明の実施の形態に係る茎折れ補修クリップを折り曲げた状態を示す正面図である。
【図３】本発明の実施の形態に係る茎折れ補修クリップの使用状態を示す斜視図である。
【図４】本発明の実施の形態に係る茎折れ補修クリップの使用状態を示す斜視図である。
【図５】本発明の実施の形態に係る茎折れ補修クリップの使用状態を示す斜視図である。
【図６】従来の誘引線と誘引紐を用いた直立誘引方法によるトマトの誘引方法の説明図である。
【図７】直立誘引方法において用いられる誘引用クリップの使用状態を示す斜視図である。
【図８】従来の支柱と誘引紐を用いた横紐誘引方法によるトマトの誘引方法の説明図である。
【図９】横紐誘引方法において用いられる誘引用クリップの使用状態を示す斜視図である。
【図１０】直立誘引方法において茎が成長したときの誘引用クリップの留め替え状態を示す説明図である。
【図１１】横紐誘引方法において茎が成長したときの誘引用クリップの留め替え状態を示す説明図である。
【図１２】横紐誘引方法においてトマトの茎の誘引作業時に生じる茎の折れの例を示す説明図である。
【図１３】茎が折れた部分を示す拡大斜視図である。
【図１４】横紐誘引方法においてトマトの茎の誘引作業時に生じる茎の裂けの例を示す説明図である。
【図１５】茎が裂けた部分を示す拡大斜視図である。
【図１６】茎が折れた部分の補修方法の従来例を示す拡大斜視図である。
【図１７】茎が折れた部分の補修方法の従来例を示す拡大斜視図である。
【図１８】茎が折れた部分の補修方法の従来例を示す拡大斜視図である。
【図１９】他の補修方法で用いられるクリップの例を示す斜視図である。
【図２０】クリップを用いた補修方法の例を示す説明図である。
【図２１】クリップを用いた補修方法の例を示す拡大斜視図である。
【発明を実施するための形態】
【００２８】
以下、本発明の実施の形態を、図１〜図５を参照しながら具体的に説明する。
図１に示すように、本発明の実施の形態に係る茎折れ補修クリップ１０は、中央部のヒンジ部１１を支点として屈曲自在に左側挟持片１２と右側挟持片１３が連設されており、左側挟持片１２の先端には、ボスを受けるためのフック部１４が形成されており、右側挟持片１３の先端には、フック部１４が係合するボス１５が複数段設けられた係合バンド部１６が、第２ヒンジ部１７を介して屈曲自在に形成されている。
【００２９】
左側挟持片１２と右側挟持片１３には、それぞれ円弧状の大径茎把持部１２ａ，１３ａと、小径茎把持部１２ｂ，１３ｂが形成されている。さらに、左側挟持片１２とフック部１４との間と、右側挟持片１３と係合バンド部１６との間には、摘み部１８，１９が設けられている。この茎折れ補修クリップ１０は全体がポリプロピレン等の弾性を有する耐候性合成樹脂で一体形成されている。
【００３０】
この茎折れ補修クリップ１０を使用するには、中央のヒンジ部１１を支点にして摘み部１８，１９を片方の手の指で摘み、左側挟持片１２と右側挟持片１３を内側に折り曲げることで、図２に示すように、大径茎把持部１２ａ，１３ａで作られる大径茎保持部２０、または小径茎把持部１２ｂ，１３ｂで作られる小径保持部２１のいずれかで折れた茎を挟み込むように保持する。
【００３１】
ヒンジ部１１側に近い円弧状の小径茎把持部１２ｂ，１３ｂを向き合わせて形成される小径茎保持部２１では、直径７ｍｍ〜１０ｍｍ迄の茎を挟み、抑え込むことができる。
摘み部１８，１９に近い円弧状の大径茎把持部１２ａ，１３ａを向き合わせて形成される大径茎保持部２０では、直径１０ｍｍ〜１７ｍｍ迄の茎を挟み、抑え込むことができる。
【００３２】
本実施の形態の茎折れ補修クリップ１０は、トマトの茎の太さがまちまちであっても、右側挟持片１３端部の係合バンド部１６の複数段の引っ掛け用ボス１５の留める位置で調整ができ、挟む力も、摘み部１８，１９の弾性力でほぼすべてのトマトの茎の太さ（直径）に対応できる。
【００３３】
左側挟持片１２、右側挟持片１３の幅は、トマトの茎の枝と枝の間、房と枝の間に収まるように、約３５ｍｍ前後の幅としている。
【００３４】
本実施の形態の茎折れ補修クリップ１０は、プラスチックの一体成形で製品を製造できるため、金属バネ等の他の部品が不要であり、組立がないのでコストも安く、施設園芸農家に安く提供でき、生産コストのうちの生産資材費の負担を低く押さえることができる。
【００３５】
本実施の形態の茎折れ補修クリップ１０によれば、次の効果を奏する。
（１）図１３に示す茎の折れた部分５６の切断面５７を図１６に示すように隙間なく合わせたまま、図１７に示すようにビニルテープ７０で巻き付けて補修する従来の補修方法では、熟練者でなければ活着しないことがあった。これに対し、本実施の形態では、図１３、図１６に示すように茎が折れた部分５６を合わせたまま、図３に示すように茎折れ補修クリップ１０を折り曲げて包み込み、先端のフック部１４に係合バンド部１６の先端部で仮にロックする。次いで、図４に示すように両手で上下から矢印方向に茎を押して、茎が折れた部分５６（図１３参照）の切断面５７を圧着させ、折れた部分に隙間をなくして摘み部１８，１９を押し付け、フック部１４を係合バンド部１６の複数のボス１５のうち適当な位置のボス１５に留めることで、挟む力を調整する。これにより、熟練者でなくても、簡単に、確実に、茎が折れた部分５６や裂けた部分５８を補修することができる。
【００３６】
（２）本実施の形態の茎折れ補修クリップ１０は、大径茎把持部１２ａ，１３ａと小径茎把持部１２ｂ，１３ｂを有しており、これらにより大径茎保持部２０と小径茎保持部２１を形成することができる。これにより、大径茎保持部２０では、直径１０ｍｍ〜１７ｍｍ迄の茎を挟み、抑え込むことができ、小径茎保持部２１では、直径７ｍｍ〜１０ｍｍ迄の茎を挟み、抑え込むことができるため、広い範囲の太さの茎の補修が可能である。
【００３７】
（３）茎が折れた部分５６や裂けた部分５８を簡単かつ確実に補修することができるため、茎を枯らすことなく収穫を続けることができ、生産者に利益をもたらすことにつながる。また、従来のように市販のビニルテープで何重にも巻きつけていても、茎の誘引作業、茎の留め替え移動時に、補修している部分の茎がずれたり曲がったりすることがあるが、本実施の形態の茎折れ補修クリップは、折れた部分を合わせて固定し、保持するため、活着が良好である。
【００３８】
（４）従来のように、図１９に示す支柱誘引用クリップ８０を流用して折れた茎の部分を支柱挟み部８２で挟んでも、茎の直径が合わないことが多いし、Ｃ状ばね８４という別部品を組み立てる必要があるので組立コストも掛かる。
【００３９】
（５）本実施の形態の茎折れ補修クリップ１０は、一体プラスチック成形で製造できコストを低くすることができるため、生産者における資材費を抑えることができ、経済的メリットが有る。
【００４０】
（６）茎折れや裂けた部分の補修が簡単に短時間でできるので、作業時間の短縮にもつながり、労力を軽減することができる。
【産業上の利用可能性】
【００４１】
本発明は、熟練者でなくても茎の折れた部分や裂けた部分を簡単に、確実に補修できる低コストの茎折れ補修クリップとして、トマト、キュウリ、メロン等の蔓性果菜類の生産に、好適に利用することができる。
【符号の説明】
【００４２】
１０  茎折れ補修クリップ
１１  ヒンジ部
１２  左側挟持片
１２ａ  大径茎把持部
１２ｂ  小径茎把持部
１３  右側挟持片
１３ａ  大径茎把持部
１３ｂ  小径茎把持部
１４  フック部
１５  ボス
１６  係合バンド部
１７  第２ヒンジ部
１８，１９  摘み部
２０  大径茎保持部
２１  小径茎保持部
【図１】
2015023838.tif 000003
【図２】
2015023838.tif 000004
【図３】
2015023838.tif 000005
【図４】
2015023838.tif 000006
【図５】
2015023838.tif 000007
【図６】
2015023838.tif 000008
【図７】
2015023838.tif 000009
【図８】
2015023838.tif 000010
【図９】
2015023838.tif 000011
【図１０】
2015023838.tif 000012
【図１１】
2015023838.tif 000013
【図１２】
2015023838.tif 000014
【図１３】
2015023838.tif 000015
【図１４】
2015023838.tif 000016
【図１５】
2015023838.tif 000017
【図１６】
2015023838.tif 000018
【図１７】
2015023838.tif 000019
【図１８】
2015023838.tif 000020
【図１９】
2015023838.tif 000021
【図２０】
2015023838.tif 000022
【図２１】
2015023838.tif 000023